(57)【要約】【課題】タイムコードを含まないデータである場合にも、良好な操作性を実現する。【解決手段】メモリ１７は、ＤＶカメラ３の機種を識別する機種識別情報に対応付けて、機種識別情報に対応するＤＶカメラ３が実行可能なコマンドの種別を示す複数のコマンド種別情報を格納するコマンド記憶部１７１を備え、マイクロプロセッサ１１は、機種識別情報を取得する識別情報取得部１１１と、操作入力を受け付ける操作受付部１１２と、機種識別情報に対応する複数のコマンド種別情報を読み出し、読み出された複数のコマンド種別情報の中から、操作入力に対応する１のコマンド種別情報を選択するコマンド変換部１１４と、コマンド変換部１１４により選択された１のコマンド種別情報をＤＶカメラ３へ出力するコマンド送信部１１５と、を備える。【選択図】図６
2007324786.tif 000002
【特許請求の範囲】
【請求項１】
動画像情報が格納されたＤＶカメラとＩＥＥＥ１３９４ケーブルを介して通信可能に接続され、動画像情報をＤＶＤに格納すると共に、前記ＤＶＤに格納された情報を読み出して再生可能に構成されたＤＶＤレコーダであって、
前記ＤＶカメラの機種を識別する機種識別情報に対応付けて、前記機種識別情報に対応するＤＶカメラが実行可能なコマンドの種別を示す複数のコマンド種別情報、及び、前記機種識別情報に対応するＤＶカメラのコマンドに対する応答時間情報を格納するコマンド記憶手段と、
前記ＤＶカメラの機種を識別する機種識別情報を取得する識別情報取得手段と、
外部から操作入力を、リモコンを介して受け付ける操作受付手段と、
前記ＤＶカメラの動作状態を取得する状態取得手段と、
前記識別情報取得手段によって取得された機種識別情報に対応する複数のコマンド種別情報を前記コマンド記憶手段から読み出し、前記状態取得手段によって取得された動作状態、及び、前記操作受付手段によって受け付けられた操作入力に基づいて、前記コマンド記憶手段から読み出された複数のコマンド種別情報の中から、１のコマンド種別情報を選択するコマンド変換手段と、
前記識別情報取得手段によって取得された機種識別情報に対応する応答時間情報を読み出し、読み出された応答時間情報に基づいて、前記コマンド変換手段により選択された１のコマンド種別情報を前記ＤＶカメラへ出力するコマンド送信手段と、
を備えること特徴とするＤＶＤレコーダ。
【請求項２】
動画像情報が格納された動画像記録装置と通信可能に接続され、動画像情報を記録媒体に格納すると共に、前記記録媒体に格納された情報を読み出して再生可能に構成された情報再生装置であって、
前記動画像記録装置の機種を識別する機種識別情報に対応付けて、前記機種識別情報に対応する動画像記録装置が実行可能なコマンドの種別を示す複数のコマンド種別情報を格納するコマンド記憶手段と、
前記動画像記録装置の機種を識別する機種識別情報を取得する識別情報取得手段と、
外部から操作入力を受け付ける操作受付手段と、
前記識別情報取得手段によって取得された機種識別情報に対応する複数のコマンド種別情報を前記コマンド記憶手段から読み出し、読み出された複数のコマンド種別情報の中から、前記操作受付手段によって受け付けられた操作入力に対応する１のコマンド種別情報を選択するコマンド変換手段と、
前記コマンド変換手段により選択された１のコマンド種別情報を前記動画像記録装置へ出力するコマンド送信手段と、
を備えること特徴とする情報再生装置。
【請求項３】
前記動画像記録装置の動作状態を取得する状態取得手段を備え、
前記コマンド変換手段は、前記状態取得手段によって取得された動作状態、及び、前記操作受付手段によって受け付けられた操作入力に基づいて、前記コマンド記憶手段から読み出された複数のコマンド種別情報の中から、１のコマンド種別情報を選択することを特徴とする請求項２に記載の情報再生装置。
【請求項４】
前記コマンド記憶手段は、前記機種識別情報に対応付けて、前記機種識別情報に対応する動画像記録装置のコマンドに対する応答時間情報を格納し、
前記コマンド送信手段は、前記識別情報取得手段によって取得された機種識別情報に対応する応答時間情報を読み出し、読み出された応答時間情報に基づいてコマンド種別情報を前記動画像記録装置へ出力することを特徴とする請求項２又は請求項３に記載の情報再生装置。
【請求項５】
外部からの操作入力を受け付ける操作受付装置と通信可能に接続され、
前記操作受付手段は、前記操作受付装置を介して操作入力を受け付けることを特徴とする請求項２〜請求項４のいずれかに記載の情報再生装置。
【発明の詳細な説明】
【技術分野】
【０００１】
本発明は、動画像情報が格納された動画像記録装置と通信可能に接続され、動画像情報を記録媒体に格納すると共に、前記記録媒体に格納された情報を読み出して再生可能に構成されたＤＶＤレコーダ及び情報再生装置に関する。
【背景技術】
【０００２】
ＤＶ（Ｄｉｇｉｔａｌ  Ｖｉｄｅｏ）カメラとＤＶＤ（Ｄｉｇｉｔａｌ  Ｖｅｒｓａｔｉｌｅ  Ｄｉｓｃ）レコーダとを、ＩＥＥＥ１３９４ケーブルを介して通信可能に接続して、ＤＶカメラ側のＤＶテープ等の記録媒体からＤＶＤレコーダ側のＤＶＤへ撮影データの録画（ダビング）を行うことがある。
【０００３】
このような場合には、従来、ユーザは、ＤＶカメラ側で撮影済みのＤＶテープを、一旦先頭まで巻き戻してから、ＤＶカメラの再生キーとＤＶＤレコーダの録画キーを同時に押下して、ＤＶテープの先頭から撮影終了位置（撮影終了時にビデオヘッドと接触していた位置）までに記録されている撮影データをＤＶＤにダビングしていた。このため、ＤＶテープからＤＶＤへのダビングを行う際の、ユーザの操作性が良好とは言えない場合があった。
【０００４】
上記の課題に対して、例えば、ＤＶカメラに対して、テープ再生の指示コマンドが送信された後に、ＤＶカメラから送信されるデータのＤＶＤへの録画（ＤＶテープからＤＶＤへのダビング）が開始され、ＤＶカメラから受信したデータに含まれるタイムコードが、テープ中の撮影終了位置に相当する部分のタイムコードと一致した時点で、録画（ＤＶテープからＤＶＤへのダビング）処理を終了するＤＶＤレコーダが提案されている（特許文献１参照）。
【特許文献１】特開２００６−６７２０４号公報
【発明の開示】
【発明が解決しようとする課題】
【０００５】
しかしながら、上記の方法では、ＤＶカメラから受信したデータがタイムコードを含むデータである場合には、操作性が大幅に改善されるが、タイムコードを含まないデータである場合には、適用することが困難である。
【０００６】
上記の課題に鑑みて、本発明は、タイムコードを含まないデータである場合にも、良好な操作性を実現することの可能な情報再生装置及びＤＶＤレコーダを提供することを目的としている。
【課題を解決するための手段】
【０００７】
上記目的を達成するために請求項１に記載のＤＶＤレコーダは、動画像情報が格納されたＤＶカメラとＩＥＥＥ１３９４ケーブルを介して通信可能に接続され、動画像情報をＤＶＤに格納すると共に、前記ＤＶＤに格納された情報を読み出して再生可能に構成されたＤＶＤレコーダであって、前記ＤＶカメラの機種を識別する機種識別情報に対応付けて、前記機種識別情報に対応するＤＶカメラが実行可能なコマンドの種別を示す複数のコマンド種別情報、及び、前記機種識別情報に対応するＤＶカメラのコマンドに対する応答時間情報を格納するコマンド記憶手段と、前記ＤＶカメラの機種を識別する機種識別情報を取得する識別情報取得手段と、外部から操作入力を、リモコンを介して受け付ける操作受付手段と、前記ＤＶカメラの動作状態を取得する状態取得手段と、前記識別情報取得手段によって取得された機種識別情報に対応する複数のコマンド種別情報を前記コマンド記憶手段から読み出し、前記状態取得手段によって取得された動作状態、及び、前記操作受付手段によって受け付けられた操作入力に基づいて、前記コマンド記憶手段から読み出された複数のコマンド種別情報の中から、１のコマンド種別情報を選択するコマンド変換手段と、前記識別情報取得手段によって取得された機種識別情報に対応する応答時間情報を読み出し、読み出された応答時間情報に基づいて、前記コマンド変換手段により選択された１のコマンド種別情報を前記ＤＶカメラへ出力するコマンド送信手段と、を備えること特徴としている。
【０００８】
請求項２に記載の情報再生装置は、動画像情報が格納された動画像記録装置と通信可能に接続され、動画像情報を記録媒体に格納すると共に、前記記録媒体に格納された情報を読み出して再生可能に構成された情報再生装置であって、前記動画像記録装置の機種を識別する機種識別情報に対応付けて、前記機種識別情報に対応する動画像記録装置が実行可能なコマンドの種別を示す複数のコマンド種別情報を格納するコマンド記憶手段と、前記動画像記録装置の機種を識別する機種識別情報を取得する識別情報取得手段と、外部から操作入力を受け付ける操作受付手段と、前記識別情報取得手段によって取得された機種識別情報に対応する複数のコマンド種別情報を前記コマンド記憶手段から読み出し、読み出された複数のコマンド種別情報の中から、前記操作受付手段によって受け付けられた操作入力に対応する１のコマンド種別情報を選択するコマンド変換手段と、前記コマンド変換手段により選択された１のコマンド種別情報を前記動画像記録装置へ出力するコマンド送信手段と、を備えること特徴としている。
【０００９】
請求項３に記載の情報再生装置は、請求項２に記載の情報再生装置であって、前記動画像記録装置の動作状態を取得する状態取得手段を備え、前記コマンド変換手段が、前記状態取得手段によって取得された動作状態、及び、前記操作受付手段によって受け付けられた操作入力に基づいて、前記コマンド記憶手段から読み出された複数のコマンド種別情報の中から、１のコマンド種別情報を選択することを特徴としている。
【００１０】
請求項４に記載の情報再生装置は、請求項２又は請求項３に記載の情報再生装置であって、前記コマンド記憶手段が、前記機種識別情報に対応付けて、前記機種識別情報に対応する動画像記録装置のコマンドに対する応答時間情報を格納し、前記コマンド送信手段が、前記識別情報取得手段によって取得された機種識別情報に対応する応答時間情報を読み出し、読み出された応答時間情報に基づいてコマンド種別情報を前記動画像記録装置へ出力することを特徴としている。
【００１１】
請求項５に記載の情報再生装置は、請求項２〜請求項４のいずれかに記載の情報再生装置であって、外部からの操作入力を受け付ける操作受付装置と通信可能に接続され、前記操作受付手段が、前記操作受付装置を介して操作入力を受け付けることを特徴としている。
【発明の効果】
【００１２】
請求項１に記載のＤＶＤレコーダによれば、ＤＶカメラの機種を識別する機種識別情報に対応する複数のコマンド種別情報が読み出され、読み出された複数のコマンド種別情報の中から、操作入力に対応する１のコマンド種別情報が選択され、選択された１のコマンド種別情報がＤＶカメラへ出力される構成を有するため、ＤＶカメラの機種に適合したコマンド種別情報をＤＶカメラへ出力することができるので、ＤＶカメラに格納されたデータがタイムコードを含まないデータである場合にも、良好な操作性を実現することができる。
【００１３】
また、ＤＶカメラの動作状態、及び、操作入力に基づいて、ＤＶカメラの機種を識別する機種識別情報に対応する複数のコマンド種別情報の中から、１のコマンド種別情報が選択されるため、ＤＶカメラの機種に更に適合したコマンド種別情報をＤＶカメラへ出力することができるので、ＤＶカメラに格納されたデータがタイムコードを含まないデータである場合にも、更に良好な操作性を実現することができる。
【００１４】
更に、ＤＶカメラの機種を識別する機種識別情報に対応する応答時間情報が読み出され、読み出された応答時間情報に基づいてコマンド種別情報がＤＶカメラへ出力される構成を有するため、ユーザの所望する操作をコマンド種別情報として、ＤＶカメラの機種に適合したタイミングで出力することができるので、更に良好な操作性を実現することができる。
【００１５】
加えて、外部からの操作入力を受け付けるリモコンを介して操作入力が受け付けられる構成を有するため、リモコンからの操作が可能となるので、更に良好な操作性を実現することができる。
【００１６】
請求項２に記載の情報再生装置によれば、動画像記録装置の機種を識別する機種識別情報に対応する複数のコマンド種別情報が読み出され、読み出された複数のコマンド種別情報の中から、操作入力に対応する１のコマンド種別情報が選択され、選択された１のコマンド種別情報が動画像記録装置へ出力される構成を有するため、動画像記録装置の機種に適合したコマンド種別情報を動画像記録装置へ出力することができるので、動画像記録装置に格納されたデータがタイムコードを含まないデータである場合にも、良好な操作性を実現することができる。
【００１７】
すなわち、例えば、ＤＶＤレコーダ等の情報再生装置のリモコン（または、ＤＶＤレコーダ等の動画像記録装置の操作パネル）からの操作入力に基づいて、ＤＶカメラ等の動画像記録装置に対して、ユーザの所望する操作をＤＶカメラ等の動画像記録装置の機種に適合したコマンド種別情報として出力することができるため、良好な操作性を実現することができるのである。
【００１８】
請求項３に記載の情報再生装置によれば、動画像記録装置の動作状態、及び、操作入力に基づいて、動画像記録装置の機種を識別する機種識別情報に対応する複数のコマンド種別情報の中から、１のコマンド種別情報が選択されるため、動画像記録装置の機種に更に適合したコマンド種別情報を動画像記録装置へ出力することができるので、動画像記録装置に格納されたデータがタイムコードを含まないデータである場合にも、更に良好な操作性を実現することができる。
【００１９】
すなわち、ユーザの所望する操作が、ＤＶカメラ等の動画像記録装置の機種に適合し、且つ、ＤＶカメラ等の動画像記録装置が再生中であるか、停止中であるか等の動作状態に応じたコマンド種別情報として出力することができるため、更に良好な操作性を実現することができるのである。
【００２０】
請求項４に記載の情報再生装置によれば、動画像記録装置の機種を識別する機種識別情報に対応する応答時間情報が読み出され、読み出された応答時間情報に基づいてコマンド種別情報が動画像記録装置へ出力される構成を有するため、ユーザの所望する操作をコマンド種別情報として、ＤＶカメラ等の動画像記録装置の機種に適合したタイミングで出力することができるので、更に良好な操作性を実現することができる。
【００２１】
すなわち、ＤＶカメラ等の動画像記録装置の機種に適合したタイミングでコマンド種別情報を出力することができるため、ＤＶカメラ等の動画像記録装置の機種が応答時間の短い（＝応答速度の早い）機種である場合には、応答性の良好な操作を実現することができるのである。
【００２２】
請求項５に記載の情報再生装置によれば、外部からの操作入力を受け付ける操作受付装置を介して操作入力が受け付けられる構成を有するため、操作受付装置からの操作が可能となるので、更に良好な操作性を実現することができる。
【００２３】
すなわち、操作受付装置が、例えば、ＤＶＤレコーダ等の情報再生装置と赤外線を介して通信可能なリモコンである場合には、このリモコンを操作することにより、ＤＶカメラ等の動画像記録装置を操作することが可能となるため、更に良好な操作性を実現することができるのである。
【発明を実施するための最良の形態】
【００２４】
以下に本発明の実施形態を、図面を参照しながら説明する。図１は、本発明に係るＤＶＤレコーダの接続状態を示す構成図である。ＤＶＤレコーダ１（情報再生装置に相当する）は、リモコン２と赤外線４を介して通信可能に接続され、ＤＶカメラ３とＩＥＥＥ１３９４ケーブル５を介して通信可能に接続されている。
【００２５】
リモコン２（操作受付装置に相当する）は、ユーザからの操作入力を受け付けて、操作入力に対応する赤外線信号を生成して、ＤＶＤレコーダ１に対して出力するものである。
【００２６】
ＤＶカメラ３（動画像記録装置に相当する）は、動画像情報を格納し、ＤＶＤレコーダ１からＩＥＥＥ１３９４ケーブル５を介して入力されたコマンド情報に基づいて、種々の処理（例えば、格納された動画像情報を、ＩＥＥＥ１３９４ケーブル５を介してＤＶＤレコーダ１に出力する処理等）及び動作（動画像情報の再生動作、早送り再生動作、スロー再生動作、巻き戻し再生動作等）を行うものである。
【００２７】
図２は、ＤＶＤレコーダ１の構成の一例を示すブロック図である。ＤＶＤレコーダ１は、マイクロプロセッサ１１、光ピックアップ１２、ＲＦ回路１３、外部インターフェイス１４、ＩＥＥＥ１３９４インターフェイス１５、表示部１６、メモリ１７、赤外線信号受信部１８、及び、操作部１９を備えている。
【００２８】
マイクロプロセッサ１１は、ＤＶＤレコーダ１全体の動作を制御するものであって、ここでは、リモコン２からの操作信号を図２に示す赤外線信号受信部１８を介して受信して、受信された操作信号に対応するコマンド情報を生成してＤＶカメラ３に対してＩＥＥＥ１３９４ケーブル５を介して送信するものである。
【００２９】
光ピックアップ１２は、ＤＶＤ−ＲＡＭ１００（記録媒体に相当する）に対してレーザビームを照射してデータの書き込み（ＲＥＣ＝記録）及び読み出し（ＰＬＡＹ＝再生）を行うものである。ＲＦ回路１３は、光ピックアップ１２から出力されるＲＦ（Ｒａｄｉｏ  Ｆｒｅｑｕｅｎｃｙ）信号を処理するものである。外部インターフェイス１４は、外部入出力機器との間で、データの入出力を行う際のデータ形式の変換等を行うものである。ＩＥＥＥ１３９４インターフェイス１５は、ＩＥＥＥ１３９４規格に従って、ＩＥＥＥ１３９４ケーブル５を介してＤＶカメラ３との間で動画像情報、コマンド情報等の種々の情報送受信を行うものである。
【００３０】
表示部１６は、例えば、ＬＣＤ（Ｌｉｑｕｉｄ  Ｃｒｙｓｔａｌ  Ｄｉｓｐｌａｙ）等からなり、外部から視認可能にガイダンス情報、メッセージ情報、設定情報等の種々の情報を表示するものである。メモリ１７は、ここでは、ＤＶカメラ３の機種を識別可能な機種識別情報に対応するＤＶカメラ３が実行可能なコマンドの種別を示す複数のコマンド種別情報、及び、前記機種識別情報に対応するＤＶカメラ３のコマンドに対する応答時間情報を、機種識別情報に対応付けて格納するものである。赤外線信号受信部１８は、リモコン２から送信された赤外線信号を受信するものである。操作部１９は、種々の操作ボタンを備え、操作ボタンを介して外部からの操作入力を受け付けるものである。
【００３１】
図３は、ＤＶＤレコーダ１の操作部１９の外観の一例を示す斜視図である。操作部１９は、ＰＬＡＹボタン１９１、ＦＷＤボタン１９２、ＲＥＶボタン１９３、及びＳＴＯＰボタン１０４を備えている。ＰＬＡＹボタン１９１は、ＤＶカメラ３に対して動画像情報を再生する旨の指示を出力する場合に押下されるボタンである。ＦＷＤボタン１９２は、ＤＶカメラ３に対して早送りする旨の指示を出力する場合に押下されるボタンである。ＲＥＶボタン１９３は、ＤＶカメラ３に対して巻き戻しする旨の指示を出力する場合に押下されるボタンである。ＳＴＯＰボタン１９４は、ＤＶカメラ３に対して現在の動作（再生、早送り、巻き戻し等）を停止する旨の指示を出力する場合に押下されるボタンである。
【００３２】
図４は、リモコン２の外観の一例を示す正面図である。リモコン２は、ＰＬＡＹボタン２１、ＦＷＤボタン２２、ＲＥＶボタン２３、及びＳＴＯＰボタン２４を備えている。ＰＬＡＹボタン２１は、ＤＶカメラ３に対して動画像情報を再生する旨の指示を出力する場合に押下されるボタンである。ＦＷＤボタン２２は、ＤＶカメラ３に対して早送りする旨の指示を出力する場合に押下されるボタンである。ＲＥＶボタン２３は、ＤＶカメラ３に対して巻き戻しする旨の指示を出力する場合に押下されるボタンである。ＳＴＯＰボタン２４は、ＤＶカメラ３に対して現在の動作（再生、早送り、巻き戻し等）を停止する旨の指示を出力する場合に押下されるボタンである。
【００３３】
図５は、ＤＶカメラ３の構成の一例を示すブロック図である。ＤＶカメラ３は、ＶＴＲ一体型のＤＶカメラであって、ＣＣＤ３１、ＡＤ変換部３２、画像メモリ３３、マイクロプロセッサ３４、フォーマット変換部３５、記録再生部３６、ＩＥＥＥ１３９４インターフェイス３７、表示部３８、操作部３９、メモリ４０、及び、始端検出センサ４１を備えている。
【００３４】
ＣＣＤ（Ｃｈａｒｇｅ  Ｃｏｕｐｌｅｄ  Ｄｅｖｉｃｅ）３１は、撮像対象の被写体像をアナログ信号の形で出力するものである。ＡＤ変換部３２は、ＣＣＤ３１から入力されたアナログ信号をディジタル情報（＝画像データ）に変換するものである。画像メモリ３３は、ＡＤ変換部３２から入力された画像データを一時的に蓄積するものである。
【００３５】
マイクロプロセッサ３４は、画像メモリ３３に蓄積された画像データに対して種々の画像処理を施すと共に、ＤＶＤレコーダ１からＩＥＥＥ１３９４ケーブル５を介して受け付けられた指示情報に従って、ＤＶカメラ３全体の動作を制御するものである。フォーマット変換部３５は、マイクロプロセッサ３４による画像処理後の画像データを図略のＤＶテープに格納する動画像情報にフォーマット変換を行うものである。記録再生部３６は、フォーマット変換部３５から出力された動画像情報を図略のＤＶテープへ書き込むと共に、ＤＶテープに記録された動画像情報の再生等を行うものである。
【００３６】
ＩＥＥＥ１３９４インターフェイス３７は、ＤＶＤレコーダ１からコマンド情報等のデータを受信すると共に、ＤＶテープに格納された動画像情報等のデータをＤＶＤレコーダ１へ送信するものである。表示部３８は、ＬＣＤ等からなり、記録再生部３６によって再生されるＤＶテープに格納された動画像情報を画像として外部から視認可能に表示するものである。操作部３９は、外部からの操作入力を受け付けてマイクロプロセッサ３４に出力するものである。メモリ４０は、ＤＶカメラの機種を識別する情報である機種識別情報を含む種々のデータを格納するものである。始端検出センサ４１は、ＤＶテープの始端を検出するものである。
【００３７】
図６は、本発明の主要部の機能構成の一例を示すブロック図である。図１に示すマイクロプロセッサ１１は、機能的に、識別情報取得部１１１、操作受付部１１２、状態取得部１１３、コマンド変換部１１４、及び、コマンド送信部１１５を備え、メモリ１７は、機能的に、コマンド記憶部１７１を備えている。
【００３８】
ここでは、マイクロプロセッサ１１が、図略のＲＯＭ（Ｒｅａｄ  Ｏｎｌｙ  Ｍｅｍｏｒｙ）等に予め格納されたプログラムを読み出して実行することにより、識別情報取得部１１１、操作受付部１１２、状態取得部１１３、コマンド変換部１１４、及び、コマンド送信部１１５等の機能部として機能すると共に、メモリ１７を、等の機能部として機能させるものである。
【００３９】
また、メモリ１７又はＲＯＭに格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４０】
コマンド記憶部１７１（コマンド記憶手段に相当する）は、ＤＶカメラ３の機種を識別する機種識別情報に対応付けて、機種識別情報に対応するＤＶカメラ３が実行可能なコマンドの種別を示す複数のコマンド種別情報、及び、機種識別情報に対応するＤＶカメラ３のコマンドに対する応答時間情報を格納するものである。
【００４１】
図７は、コマンド記憶部１７１に格納されたコマンド種別情報及び応答時間情報の一例を示す図表である。図の左端欄は、コマンド種別情報であり、左から２列目、３列目、４列目の欄は、それぞれ、機種識別情報がＡ１、Ｂ１、Ｘ、である機種に対応するデータである。また、最下欄は、応答時間情報である。左から２列目、３列目、４列目の欄に○印が記載されているものは、対応するコマンド種別情報を実行可能であることを示し、×印が記載されているものは、対応するコマンド種別情報を実行不可能であることを示している。
【００４２】
例えば、機種識別情報が「Ａ１」であるＤＶカメラ３は、コマンド種別情報として、「SLOWEST FORWARD」、「SLOW FORWARD 4」、「SLOW FORWARD 1」、「SLOW FORWARD」、「FAST FORWARD 1」、「FAST FORWARD 4」、「FASTEST FORWARD」、「FORWARD」の７種類のコマンドを実行可能に構成され、コマンドに対する応答時間が１０ｍＳＥＣ（＝秒／１０００）である。また、機種識別情報が「Ｘ」であるＤＶカメラ３は、コマンド種別情報として、「SLOWEST FORWARD」、「SLOW FORWARD 1」、「FASTEST FORWARD」、「FORWARD」の４種類のコマンドを実行可能に構成され、コマンドに対する応答時間が１００ｍＳＥＣである。
【００４３】
再び図６に戻って、本発明の主要部の機能構成について説明する。識別情報取得部１１１（識別情報取得手段に相当する）は、ＩＥＥＥ１３９４ケーブル５を介して、ＤＶカメラ３の機種を識別する機種識別情報を取得するものである。
【００４４】
操作受付部１１２（操作受付手段に相当する）は、リモコン２を介して、ユーザからの操作入力を受け付けるものである。操作受付部１１２が受け付ける操作入力は、図４、図５を用いて説明した操作ボタンに対応するもの（再生、早送り、巻き戻し、停止等）である。
【００４５】
状態取得部１１３（状態取得手段に相当する）は、ＩＥＥＥ１３９４ケーブル５を介してＤＶカメラ３の動作状態を取得するものである。状態取得部１１３が取得するＤＶカメラ３の動作状態は、再生、早送り、巻き戻し、停止等である。
【００４６】
コマンド変換部１１４（コマンド変換手段に相当する）は、識別情報取得部１１１によって取得された機種識別情報に対応する複数のコマンド種別情報を、コマンド記憶部１７１から読み出し、状態取得部１１３によって取得されたＤＶカメラ３の動作状態、及び、操作受付部１１２によって受け付けられた操作入力に基づいて、コマンド記憶部１７１から読み出された複数のコマンド種別情報の中から、１のコマンド種別情報を選択するものである。
【００４７】
例えば、機種識別情報が、図７に示す「Ａ１」である場合について説明する。まず、コマンド変換部１１４は、「Ａ１」に対応する複数のコマンド種別情報をコマンド記憶部１７１から読み出すものであるが、図７に示すように、読み出される複数のコマンド種別情報は、「SLOWEST FORWARD」、「SLOW FORWARD 4」、「SLOW FORWARD 1」、「SLOW FORWARD」、「FAST FORWARD 1」、「FAST FORWARD 4」、「FASTEST FORWARD」、「FORWARD」の７種類のコマンド種別情報である。次に、コマンド変換部１１４は、状態取得部１１３によって取得された動作状態、及び、操作受付部１１２によって受け付けられた操作入力に基づいて、コマンド記憶部１７１から読み出された複数のコマンド種別情報の中から、１のコマンド種別情報を選択するものであるが、動作状態が「再生中（＝FORWARD）」である場合に、リモコン２のＦＷＤボタン２２が押下された場合には、コマンド変換部１１４は、「FAST FORWARD 1」を選択する（図９参照）。更に、リモコン２のＦＷＤボタン２２が押下された場合には、コマンド変換部１１４は、「FAST FORWARD 4」を選択する。
【００４８】
コマンド送信部１１５（コマンド送信手段に相当する）は、識別情報取得部１１１によって取得された機種識別情報に対応する応答時間情報をコマンド記憶部１７１から読み出し、読み出された応答時間情報に基づいて、コマンド変換部１１４により選択された１のコマンド種別情報をＤＶカメラ３へ出力するものである。
【００４９】
例えば、機種識別情報が、図７に示す「Ａ１」である場合について説明する。まず、コマンド送信部１１５は、「Ａ１」に対応する応答速度情報をコマンド記憶部１７１から読み出すものであるが、図７に示すように、読み出される応答速度情報は１０ｍＳＥＣである。次に、コマンド送信部１１５は、読み出された応答時間情報に基づいて、コマンド変換部１１４により選択された１のコマンド種別情報をＤＶカメラ３へ出力するものであるが、ここでは、ＤＶカメラ３の応答速度が１０ｍＳＥＣであるため、ＤＶカメラ３に対して直前にコマンド種別情報を送信した時点から１０ｍＳＥＣが経過しているか否かを判定して、１０ｍＳＥＣが経過したタイミングでコマンド変換部１１４により選択された１のコマンド種別情報をＤＶカメラ３へ出力するものである。
【００５０】
図８は、マイクロプロセッサ１１の動作の一例を示すフローチャートである。まず、識別情報取得部１１１によって、ＤＶカメラ３の機種を識別する機種識別情報が取得される（Ｓ１０１）。そして、状態取得部１１３によって、ＤＶカメラ３の動作状態が取得される（Ｓ１０３）。次に、操作受付部１１２によって、リモコン２を介して、ユーザからの操作入力が受け付けられる（Ｓ１０５）。次いで、コマンド変換部１１４によって、ステップＳ１０３において取得された動作状態、及び、ステップＳ１０５において受け付けられた操作入力に基づいて、コマンド記憶部１７１から読み出された複数のコマンド種別情報の中から、１のコマンド種別情報が選択される（Ｓ１０７）。
【００５１】
そして、コマンド送信部１１５によって、識別情報取得部１１１によって取得された機種識別情報に対応する応答時間情報が読み出される（Ｓ１０９）。次に、コマンド送信部１１５によって、直前にコマンド種別情報を送信した時点から、ステップ１０９において読み出された応答時間が経過したか否かの判定が行われる（Ｓ１１１）。応答時間が経過していないと判定された場合（Ｓ１１１でＮＯ）には、処理が待機状態とされる。応答時間が経過したと判定された場合（Ｓ１１１でＹＥＳ）には、コマンド送信部１１５によって、ステップ１０７において選択された１のコマンド種別情報がＤＶカメラ３へ出力され（Ｓ１１３）、処理が終了される。
【００５２】
図９は、図８に示すフローチャートのステップ１０７において実行されるコマンド変換処理の一例を示す詳細フローチャートである。なお、以下の処理は、全てコマンド変換部１１４によって実行される。まず、図８のステップ１０３において取得されたＤＶカメラ３の動作状態が「再生中」であるか否かの判定が行われる（Ｓ２０１）。「再生中」ではないと判定された場合（Ｓ２０１でＮＯ）には、他の状態（早送り中、巻き戻し中、停止中等）に関する処理が行われ（Ｓ２０３）、処理がリターンされる。「再生中」であると判定された場合（Ｓ２０１でＹＥＳ）には、図８のステップ１０５において受け付けられた操作入力が「ＦＷＤ」であるか否かの判定が行われる（Ｓ２０５）。「ＦＷＤ」ではないと判定された場合（Ｓ２０５でＮＯ）には、他のコマンド（「ＲＥＶ」、「ＰＬＡＹ」、「ＳＴＯＰ」等）に関する処理が実行され（Ｓ２０７）、処理がリターンされる。
【００５３】
「ＦＷＤ」であると判定された場合（Ｓ２０５でＮＯ）には、図８のステップ１０１で取得された機種識別情報が「Ａ１」であるか否かの判定が行われる（Ｓ２０９）。「Ａ１」であると判定された場合（Ｓ２０９でＹＥＳ）には、「FAST FORWARD 1」が選択され（Ｓ２１１）、処理がリターンされる。「Ａ１」ではないと判定された場合（Ｓ２０９でＮＯ）には、機種識別情報が「Ｘ」であるか否かの判定が行われる（Ｓ２１３）。「Ｘ」であると判定された場合（Ｓ２１３でＹＥＳ）には、「FASTEST FORWARD」が選択され（Ｓ２１５）、処理がリターンされる。「Ｘ」ではないと判定された場合（Ｓ２１３でＮＯ）には、他の機種（例えば、「Ｂ１」）に関する処理が実行され（Ｓ２１７）、処理がリターンされる。
【００５４】
このようにして、ＤＶカメラ３の機種を識別する機種識別情報に対応する複数のコマンド種別情報が読み出され、読み出された複数のコマンド種別情報の中から、操作入力に対応する１のコマンド種別情報が選択され、選択された１のコマンド種別情報がＤＶカメラ３へ出力される構成を有するため、ＤＶカメラ３の機種に適合したコマンド種別情報をＤＶカメラ３へ出力することができるので、ＤＶカメラ３に格納されたデータがタイムコードを含まないデータである場合にも、良好な操作性を実現することができる。
【００５５】
また、ＤＶカメラ３の動作状態、及び、操作入力に基づいて、ＤＶカメラ３の機種を識別する機種識別情報に対応する複数のコマンド種別情報の中から、１のコマンド種別情報が選択されるため、ＤＶカメラ３の機種に更に適合したコマンド種別情報をＤＶカメラ３へ出力することができるので、ＤＶカメラ３に格納されたデータがタイムコードを含まないデータである場合にも、更に良好な操作性を実現することができる。
【００５６】
更に、ＤＶカメラ３の機種を識別する機種識別情報に対応する応答時間情報が読み出され、読み出された応答時間情報に基づいてコマンド種別情報がＤＶカメラ３へ出力される構成を有するため、ユーザの所望する操作をコマンド種別情報として、ＤＶカメラ３の機種に適合したタイミングで出力することができるので、更に良好な操作性を実現することができる。
【００５７】
加えて、外部からの操作入力を受け付けるリモコン２を介して操作入力が受け付けられる構成を有するため、リモコン２からの操作が可能となるので、更に良好な操作性を実現することができる。
【００５８】
なお、本発明は、以下の形態にも適用可能である。
（Ａ）本実施形態では、情報再生装置がＤＶＤレコーダ１である場合について説明したが、動画像情報が格納されたＤＶカメラ２等の動画像記録装置と通信可能に接続され、動画像情報をＤＶＤ−ＲＡＭ１００等の記録媒体に格納すると共に、記録媒体に格納された情報を読み出して再生可能に構成された装置であればよい。例えば、情報再生装置が、ビデオテープレコーダである形態でもよい。
【００５９】
（Ｂ）本実施形態では、動画像記録装置がＤＶカメラ３である場合について説明したが、動画像情報が格納され、ＤＶＤレコーダ１等の情報再生装置と通信可能に接続される装置であればよい。例えば、動画像記録装置が動画像を撮影可能なビデオカメラである形態でもよいし、ＤＶテープ等の記録媒体を備えたＰＤＡ（Ｐｅｒｓｏｎａｌ  Ｄｉｇｉｔａｌ  Ａｓｓｉｓｔａｎｔｓ）等である形態でもよい。
【００６０】
（Ｃ）本実施形態では、ＤＶＤレコーダ１とＤＶカメラ３とがＩＥＥＥ１３９４ケーブル５を介して通信可能に接続される場合について説明したが、その他の方法（例えば、ＵＳＢケーブル等）で通信可能に接続される形態でもよい。
【００６１】
（Ｄ）本実施形態では、操作受付部１１２が、リモコン２を介してユーザからの操作入力を受け付ける場合について説明したが、操作受付部１１２が、図３に示すＤＶＤレコーダ１の操作部１９を介してユーザからの操作入力を受け付ける形態でもよい。
【図面の簡単な説明】
【００６２】
【図１】は、本発明に係るＤＶＤレコーダの接続状態を示す構成図である。
【図２】は、ＤＶＤレコーダの構成の一例を示すブロック図である。
【図３】は、ＤＶＤレコーダの操作部の外観の一例を示す斜視図である。
【図４】は、リモコンの外観の一例を示す正面図である。
【図５】は、ＤＶカメラの構成の一例を示すブロック図である。
【図６】は、本発明の主要部の機能構成の一例を示すブロック図である。
【図７】は、コマンド記憶部に格納されたコマンド種別情報及び応答時間情報の一例を示す図表である。
【図８】は、マイクロプロセッサ１１の動作の一例を示すフローチャートである。
【図９】は、図８に示すフローチャートのステップ１０７において実行されるコマンド変換処理の一例を示す詳細フローチャートである。
【符号の説明】
【００６３】
１    ＤＶＤレコーダ（情報再生装置）
１１    マイクロプロセッサ
１１１    識別情報取得部（識別情報取得手段）
１１２    操作受付部（操作受付手段）
１１３    状態取得部（状態取得手段）
１１４    コマンド変換部（コマンド変換手段）
１１５    コマンド送信部（コマンド送信手段）
１７    メモリ
１７１    コマンド記憶部（マンド記憶手段）
１９    操作部
２    リモコン（操作受付装置）
３    ＤＶカメラ（動画像記録装置）
５    ＩＥＥＥ１３９４ケーブル
【図１】
2007324786.tif 000003
【図２】
2007324786.tif 000004
【図３】
2007324786.tif 000005
【図４】
2007324786.tif 000006
【図５】
2007324786.tif 000007
【図６】
2007324786.tif 000008
【図７】
2007324786.tif 000009
【図８】
2007324786.tif 000010
【図９】
2007324786.tif 000011